(57)【要約】      （修正有）【課題】外椀と内椀（メッシュ椀）の間に氷を入れる空間を設け、外椀と内椀を固定の後、氷水を投入する為、氷の形、量による内椀の不安定を解消、食材がこぼれるのを防ぐ氷冷飯用食器を提供する。【解決手段】外椀１及び内椀２に分かれ、内椀２をメッシュ状とする事で、直接、氷水で炊きたて米飯を急冷し、氷と米飯を隔絶する為氷片が邪魔をする事無く食し易くする。外椀１と内椀２は、内椀２を水平回転する事により外椀１に簡単に固定が出来、単純作業で氷冷飯を食する事が出来る。外椀１の外周部に３箇所の突起を設け、内椀２（メッシュ椀）には３個所の凹部を設け、内椀２を水平回転する事により突起と凹部を合わせて固定する。【選択図】図２
0003149193.tif 000002
【実用新案登録請求の範囲】
【請求項１】
外椀と内椀（メッシュ椀）を設け、外椀に内椀を水平回転する事により固定し、外椀と内椀の間に氷を入れる空間を作り、内椀に炊きたて米飯を入れ、急冷し、穴明きスプーンにて氷冷飯を食する食器。
【考案の詳細な説明】
【技術分野】
【０００１】本考案は、夏季に、炊きたて米飯を急冷し、炊きたて米飯の旨味を損なわず、氷水により冷涼感を感じながら食する為の食器である。
【背景技術】
【０００２】本考案によらない場合には、一度、別容器にて氷冷し、食する容器に移し替えをしなければならず、食する場合には氷冷水ではあるが、本考案より冷涼感が少ないのは体験済みである。
【考案の開示】
【考案が解決しようとする課題】
【０００３】外椀と内椀（メッシュ椀）の間に氷を入れる空間を設け、外椀と内椀を固定の後、氷水を投入する為、氷の形、量による内椀の不安定を解消、食材がこぼれるのを防ぐ。
【課題を解決するための手段】
【０００４】外椀の外周部に３箇所の突起を設け、内椀（メッシュ椀）には３個所の凹部を設け、内椀を水平回転する事により固定する。
【考案の効果】
【０００５】本考案食器を使用する事で、夏季における食欲不振を解決する一手段となり得、労力を省き、氷を直接、目視しながら冷涼感を感じつつ食する事が出来、食する量を自由に調整出来る。（本考案によらない場合にはあらかじめ食する量を予想しなければならず余分な労力を要し、食する時は氷水では無く冷水である為、本考案より冷涼感を感じる事が少ない。）又、外椀に内椀を固定する事で内椀の水平を保つ、更に、網目状（考案外）のスプーンを使用する事により余分な水分を摂取するのを避ける事が出来る。
【考案を実施するための最良の形態】
【０００６】外椀と内椀（メッシュ椀）の空間を市販の冷蔵庫で製氷した３０ｍｍ角程度の氷が通る程度の寸法とし、外椀の底と内椀の底の空間も３０ｍｍないし４０ｍｍ程度で、全体をコンパクトな食器とする。（内椀の大きさは一膳椀程度とする。）
【実施例】
【０００７】以下、添付図面に従って一実施例を説明する。１及び２共、亜鉛メッキ鋼板又はカラーアルミ製とし、２のメッシュ部分はステンレス製とする。
【産業上の利用可能性】
【０００８】近年、我が国では米の消費量が年々減って来ており、特に夏季においては食欲不振に陥るのが一般的である為、夏季には更に米の消費量が減ると考えられる。我が国の首都にある一流料理店でも夏季には氷冷飯を人気メニューの一つとしていると聞く、さらに国外でも日本食が非常に健康に良いとされ、本考案が製品化され、一般市場に流通するに至った場合には我が国の米の消費量も増え、さらに国外においても日本食の新メニューとして登場する可能性大である。我が国の一地方では農作業の昼食時に水掛け米飯（氷冷米飯では無い）を食する場合が多いが、本考案により、より冷たい物を提供する事が出来、産業上大いに貢献出来るものと考える。
【図面の簡単な説明】
【０００９】
【図１】本考案の全体図である。
【図２】本考案の全体見下ろし図である。
【図３】本考案の縦断面図である。
【図４】本考案の１の見下ろし図である。
【図５】本考案の１の縦断面図である。
【図６】本考案の２の見下ろし図である。
【図７】本考案の２の縦断面図である。
【図８】本考案外の参考図面である。
【符号の説明】
【００１０】１  外椀
２  内椀（メッシュ椀）
【図１】
0003149193.tif 000003
【図２】
0003149193.tif 000004
【図３】
0003149193.tif 000005
【図４】
0003149193.tif 000006
【図５】
0003149193.tif 000007
【図６】
0003149193.tif 000008
【図７】
0003149193.tif 000009
【図８】
0003149193.tif 000010
【手続補正書】
【提出日】平成20年11月7日(2008.11.7)
【手続補正１】
【補正対象書類名】実用新案登録請求の範囲
【補正対象項目名】全文
【補正方法】変更
【補正の内容】
【実用新案登録請求の範囲】
【請求項１】
外椀とメッシュ構造の内椀を設け、外椀に内椀を水平回転する事により固定出来る構造とし、外椀と内椀の間に空間を作り、その空間に氷水を、内椀に炊きたて米飯を入れ、急冷し、氷冷飯を食する為の食器。
【手続補正２】
【補正対象書類名】明細書
【補正対象項目名】０００１
【補正方法】変更
【補正の内容】
【０００１】本考案は、夏季に、炊きたて米飯を急冷し、炊きたて米飯の旨味を損なわず、氷水により冷涼感を味わい、食する為の食器である。
【手続補正３】
【補正対象書類名】明細書
【補正対象項目名】０００５
【補正方法】変更
【補正の内容】
【０００５】氷冷飯は、従来の冷茶漬け等とは全く別な物であり、味の違い、さっぱり感、冷たさの違いを強調したいと思います。本考案食器を使用する事で、夏季における食欲不振を解決する一手段となり得、労力を省き、氷水による味覚、更に視覚によっても冷涼感を味わいつつ食する事が出来、又、食する量を自由に調整出来る。（本考案によらない場合にはあらかじめ食する量を予想しなければならず、項目名・背景技術・に記述の通り、作業が一行程増える為、余分な労力を要し、旨味を損う事も考えられ、更に、食する時は氷水では無く氷冷水である為、本考案より冷涼感を味わえない。）又、外椀に内椀を固定する事で内椀の水平を保ち、更に、網目状（考案外）のスプーンを使用する事により余分な水分を摂取するのを避ける事が出来る。
【手続補正４】
【補正対象書類名】明細書
【補正対象項目名】０００６
【補正方法】変更
【補正の内容】
【０００６】外椀と内椀（メッシュ椀）の空間を市販の冷蔵庫で製氷した２５ミリメートル角程度の氷が通る程度の寸とし、外椀の底と内椀の底の空間も３０ｍｍないし４０ｍｍ程度で、全体をコンパクトな物とする。
【手続補正５】
【補正対象書類名】明細書
【補正対象項目名】０００８
【補正方法】変更
【補正の内容】
【０００８】近年、我が国では米の消費量が年々減って来ていると言われており、特に夏季においては食欲不振に陥るのが一般的である為、夏季には更に米の消費量が減るものと考えられる。我が国の一地方では農作業の昼食時には水掛け米飯（氷冷飯では無い）を食する事が多いが、本食器により、より冷たい物を提供出来る。さらに国外おいても日本食が非常に健康に良いとされており、本考案が製品化され、一般市場に流通するに至った場合には我が国の米の消費量も増え、さらに国外においても日本食の新メニューとして登場する可能性大である。その結果、産業上も大いに貢献出来るものと考える。余分ではありますが我が国の首都にある某和風料理店でも夏季には氷冷飯が人気メニューの一つであると聞く。